(57)【要約】【課題】投資家と著作物の開発者が相互に著作物の価値を評価しあうための、普遍性が高く透明性の確保されたバロメータとなる分配率を試算する分配率算出装置並びに分配率算出プログラムを提供する。【解決手段】開発した著作物の内容を提示しアンケート形式で著作物の評価情報を複数取得する著作物評価情報取得手段と、著作物の開発に関する情報を取得する著作物情報取得手段と、取得した複数の著作物の評価情報について多次元の平均値算出処理を実施して評価情報の平均座標値として算出する平均座標値算出手段と、著作物の売上予測金額を著作物の調達希望金額で除算して回収予測率を算出する回収予測率算出手段と、前記算出した評価情報の平均座標値と回収予測率とから著作物の投資に対する収益の分配率を算出する分配率算出手段とを備えた。【選択図】  図１
2005063203.tif 000002
【特許請求の範囲】
【請求項１】
著作物の投資に対する分配率を算出する分配率算出装置であって、
開発した著作物の内容を提示して当該著作物の大衆性、先進性、郷愁性、娯楽性等の著作物の評価情報を複数取得する著作物評価情報取得手段と、
著作物の売上予測金額、著作物の開発に関する調達希望金額等の著作物の開発に関する情報を取得する著作物情報取得手段と、
前記取得した複数の著作物の評価情報について多次元の平均値算出処理を実施して評価情報の平均座標値として算出する平均座標値算出手段と、
著作物の売上予測金額を著作物の調達希望金額で除算して回収予測率を算出する回収予測率算出手段と、
前記算出した評価情報の平均座標値と回収予測率とから著作物の投資に対する収益の分配率を算出する分配率算出手段と、
を備えたことを特徴とする分配率算出装置。
【請求項２】
請求項１の分配率算出装置において、
前記著作物情報取得手段は、著作物の販売価格、著作物の開発予算及び公募口数を取得し、
著作物の販売価格に開発予算を乗算し、公募口数、著作物の開発に必要な調達希望金額、及び、著作物の投資に対する収益の分配率で除算して著作物の投資に対する配当金額を算出する配当金額算出手段と、
前記配当金額を投資家側の端末に送信する送信手段と、
を備えたことを特徴とする分配率算出装置。
【請求項３】
請求項１又は２の分配率算出装置において、
それぞれの評価情報の平均座標値に対応した格付値を記録する格付値記録手段から、前記算出した評価情報の平均座標値に対応した格付値を取得する格付値取得手段を備え、
前記分配率算出手段は、前記取得した格付値と回収予測率とから著作物の投資に対する収益の分配率を算出することを特徴とする分配率算出装置。
【請求項４】
請求項１、２又は３の分配率算出装置において、
著作物の大衆性と娯楽性、大衆性と郷愁性、先進性と娯楽性、先進性と郷愁性等の複数の著作物の評価情報を包含するエリアを設けるとともに、各評価情報毎にセルを設け、取得した評価情報に基づいて各セル毎に得票順位を設定する順位設定手段を備え、
前記平均座標算出手段は、前記順位設定手段が設定した最大得票セルが存在するエリアに含まれる複数の評価情報について多次元の平均値算出処理を実施して、評価情報の平均座標値として算出することを特徴とする分配率算出装置。
【請求項５】
請求項４の分配率算出装置において、
前記設定した順位のうち、最大の得票数を得た最大得票セルと、著作物の大衆性、先進性、郷愁性、娯楽性等の評価情報が対局に位置する対局セルの得票順位に応じて、最大得票セルの得票数を減算する演算処理を行なう得票数減算手段を備え、
前記順位設定手段は、前記得票数減算手段が演算した結果に基づいて再度各セル毎の得票の順位を設定し、
前記平均座標算出手段は、前記順位設定手段が再度設定した最大得票セルが存在するエリアに含まれる複数の評価情報について多次元の平均値算出処理を実施して、評価情報の平均座標値として算出することを特徴とする分配率算出装置。
【請求項６】
請求項１〜５の分配率算出装置において、
前記分配率算出手段は著作物の販売予定時期と売上げ予測時期に関する情報を取得し、著作物の売上予測時期が著作物の販売予定時期よりも後の時期である程、分配率について投資家側に有利なインセンティブを加える演算処理を行なうことを特徴とする分配率算出装置。
【請求項７】
開発した著作物の内容を提示して著作物の評価情報を複数取得し、取得した著作物の評価情報について多次元の平均値算出処理を実施し、著作物の開発に関する情報を取得し、回収予測率を算出し、著作物の投資に対する収益の分配率を算出する処理等を行なうことが可能な情報処理手段を備えた、分配率算出装置において実行される分配率算出プログラムであって、
前記情報処理手段に、
開発した著作物の内容を提示して当該著作物の大衆性、先進性、郷愁性、娯楽性等の著作物の評価情報を複数取得する機能と、
著作物の売上予測金額、及び、著作物の開発に関する調達希望金額等の、著作物の開発に関する情報を取得する機能と、
前記取得した著作物に関する複数の評価情報について多次元の平均値算出処理を実施して評価情報の平均座標値として算出する機能と、
著作物の売上予測金額を著作物の調達希望金額で除算して回収予測率を算出する機能と、
算出した評価情報の平均座標値と回収予測率とから著作物の投資に対する収益の分配率を算出する機能と、
を実現させることを特徴とする分配率算出プログラム。
【請求項８】
請求項７の分配率算出プログラムにおいて、
情報処理手段に、
著作物の販売価格、開発予算及び公募口数を取得する機能と、
取得した著作物の販売価格に開発予算を乗算し、公募口数、著作物の開発に必要な調達希望金額、及び、著作物の投資に対する収益の分配率で除算して著作物の投資に対する配当金額を算出する機能と、
送信手段が配当金額を投資家側の端末に送信する機能と、
を実現させることを特徴とする分配率算出プログラム。
【請求項９】
請求項７又は８の分配率算出プログラムにおいて、
情報処理手段に、
それぞれの評価情報の平均座標値に対応した格付値を記録する格付値記録手段から、前記算出した評価情報の平均座標値に対応した格付値を取得する機能と、
取得した格付値と算出した回収予測率とから著作物の投資に対する収益の分配率を算出する機能と、
を実現させることを特徴とする分配率算出プログラム。
【請求項１０】
請求項７、８又は９の分配率算出プログラムにおいて、
情報処理手段に、
著作物の大衆性と娯楽性、大衆性と郷愁性、先進性と娯楽性、先進性と郷愁性等の複数の著作物の評価情報を包含するエリアを設けるとともに、各評価情報毎にセルを設け、取得した評価情報に基づいて各セル毎に得票順位を設定する機能と、
設定した最大得票セルが存在するエリアに含まれる複数の評価情報について多次元の平均値算出処理を実施して、評価情報の平均座標値として算出する機能と、
を実現させることを特徴とする分配率算出プログラム。
【請求項１１】
請求項１０の分配率算出プログラムにおいて、
情報処理手段に、
前記設定した順位のうち、最大の得票数を得た最大得票セルと、著作物の大衆性、先進性、郷愁性、娯楽性等の評価情報が対局に位置する対局セルの得票順位に応じて、最大得票セルの得票数を減算する演算処理を行なう機能と、
前記最大得票セルの得票数を減算する演算処理を行なった結果に基づいて再度各セル毎の得票の順位を設定する機能と、
再度各セル毎の得票の順位を設定した結果に基づいて、最大得票セルが存在するエリアに含まれる複数の評価情報について多次元の平均値算出処理を実施して、評価情報の平均座標値として算出する機能と、
を実現させることを特徴とする分配率算出プログラム。
【請求項１２】
請求項７〜１１の分配率算出プログラムにおいて、
情報処理手段に、
著作物の販売予定時期と売上げ予測時期に関する情報を取得して著作物の売上予測時期が著作物の販売予定時期よりも後の時期である程、分配率について投資家側に有利なインセンティブを加える演算処理を行なう機能を実現させることを特徴とする分配率算出プログラム。
【発明の詳細な説明】
【技術分野】
【０００１】
本発明は、分配率算出装置並びに分配率算出プログラムに関する。
【背景技術】
【０００２】
従来、「コンテンツビジネス出資プロジェクト」として、新人プロデューサーにより企画された映像コンテンツ、又は、国際的に通用すると認められる映像コンテンツ（実写又はアニメ映画、ＴＶ番組、ゲーム及びその他のブロードバンドコンテンツ）のビジネスプランに対して、一定の審査を行なうものが知られている。
そしてこの一定の審査の結果、「出資対象ビジネスプラン」を選考し、かかるビジネスプランを策定したプロデューサーが所属する中小企業に対して総予算の一部の出資を匿名組合の形態にて行い、映像コンテンツの製作に携わる者に対する支援を行うものが知られている。
この「コンテンツビジネス出資プロジェクト」では、出資金の回収及び利益の配分を受けることが可能であるとされている（例えば、非特許文献１参照。）。
【０００３】
開発者は、著作物の製作資金の調達に際して問題に直面することが多いということが一般に知られている。まず、製作資金を捻出するために、プロデューサーはビジネスプランを作成し、社内を奔走することになる。社内だけでは十分な開発資金を得られない場合には、金融機関から開発資金を調達するか、あるいは外部から映画製作等に見られるような大口の協賛という形態をとった協賛金を募ることを行っている。外部から制作費を調達する事例として、ニューヨークのブロードウェイ・ミュージカルが挙げられる。プロデューサーは原作者、脚本家、演出家、そしてキャスティング等のプランや分配金に関するポートフォリオを投資家に対して提示し出資を募り、ミュージカルの制作費を調達している。
【０００４】
また従来、有価証券を対象としたオンライントレードに関する匿名組合契約が知られている。オンライントレードに関する匿名組合契約では、株式や為替に関する取引が可能であるとされている（例えば、非特許文献２参照。）。
【０００５】
従来、多種多様の著作物が開発されているが、その著作物の著作権は、その著作物の開発者並びにその関係者に原始的に帰属するのが一般的である。
【非特許文献１】角川出版事業進行基金信託、” １ｓｔＳＴＥＰ、コンテンツビジネスプロジェクトとは？”、〔ｏｎｌｉｎｅ〕、〔平成１５年６月２０日検索〕、インターネット＜ＵＲＬ：http://www.kadokawakikin.jp/faq.html＞
【非特許文献２】ＤＬＪダイレクトＳＦＧ証券、” お取引デモ、ゴールデンオンライン”〔ｏｎｌｉｎｅ〕、〔平成１５年６月２０日検索〕、インターネット＜ＵＲＬ：http://www.dljdirect-sfg.co.jp/DLJJapan/V_GID_Tour_Enter_01.html＞
【発明の開示】
【発明が解決しようとする課題】
【０００６】
ところが、前記非特許文献１に記載の「コンテンツビジネス出資プロジェクト」では、映像コンテンツの製作に携わる者に対する支援を行うとともに、出資金の回収及び利益の分配を出資者に行うことが可能であるとされているが、投資の対象となっているコンテンツの販売予測に対して、広範囲な意見を取り入れずに限られた会員などによる審査に基づいて選考している。そのために、一般の投資家から見ると審査の内容が不透明であるので、投資しにくいという不具合を生じていた。
【０００７】
有価証券と同様に、高い配当が期待できる著作物が投資家にとっても優良な著作物であるとともに、過去の販売実績が良好なアーティスト関連の著作物や事前評価の高い著作物なども、事業収益が期待できる優良な著作物と言える。そのため特定の投資家は、経済的利益を得ることを主な動機として著作物の著作権の共同所有者になるために出資を行っている。
【０００８】
ところが従来は、高い配当を期待する投資家と、開発資金の迅速な調達によって高い事業収益を期待する開発者とが相互に著作物の価値を評価しあうための「バロメータ」に相当する指標が存在していなかった。そのために投資家は、特定の著作物が投資により収益を生む著作物であるか否かを的確に判断することができずに、実際にはその可能性がある著作物であっても投資を行いにくいという不具合を生じていた。
【０００９】
また従来の著作物に関する査定には、一般の株式や不動産取引の契約約款と異なり一定のフォーマットが存在していなかった。そのために、開発者と投資家との間で交わす契約内容にも流動性が生じており、一般の投資家が容易に参入することは困難であるという不具合を生じていた。
【００１０】
協賛金型、ブロードウェイ・ミュージカル型の資金調達方法も、出資金額が大口の協賛に限られてしまうことや、出資者の範囲も特定の範囲に限られてしまうために、広範囲に小口の出資者を募ってより多くの資金を調達することができないという不具合を生じていた。
【００１１】
また従来は、人気のある著作物を開発した者であっても、その著作者が特別著名な著作者でない場合には、著作物の開発に必要な開発資金を調達しにくいという不具合を生じていた。
【００１２】
前記非特許文献２に記載の匿名組合では、株式や為替に関する取引が可能であるが、著作物等に対する投資を行うことができないという不具合を生じていた。
【００１３】
そこで本発明は上記従来の状況に鑑み、高い配当を期待する投資家と、開発資金の迅速な調達によって高い事業収益を期待する開発者が、相互に著作物の価値を評価しあうことが可能であるとともに、普遍性が高く透明性の確保されたバロメータとなる分配率を試算して、一般の投資家に配当金額の試算値を広く提示することが可能な分配率算出装置並びに分配率算出プログラムを提供することを目的としている。
【００１４】
また本発明は、普遍性の高いバロメータを設定して一般の投資家や銀行に提示することによって、投資家や銀行の出資意欲を喚起し、著作権市場を活性化することが可能な分配率算出装置並びに分配率算出プログラムを提供することを目的としている。
【００１５】
また本発明は、著作物の市場状況に基づいて投資に対する配当金額をシミュレーションする分析ツールを提供することによって、著作権の一部を市場に売り出す際のポートフォリオプランを作りやすくすることが可能な分配率算出装置並びに分配率算出プログラムを提供することを目的としている。
【００１６】
また本発明は、開発者と投資家による投資組合をインターネット上に形成することにより、開発者と投資家をそれぞれの感性で結ぶ著作権に関する証券市場を創造することが可能な分配率算出装置並びに分配率算出プログラムを提供することを目的としている。
【課題を解決するための手段】
【００１７】
上記課題を解決するために、本発明に係る分配率算出装置は、開発した著作物の内容を提示して当該著作物の大衆性、先進性、郷愁性、娯楽性等の著作物の評価情報を複数取得する著作物評価情報取得手段と、著作物の売上予測金額、著作物の開発に関する調達希望金額等の著作物の開発に関する情報を取得する著作物情報取得手段と、取得した複数の著作物の評価情報について多次元の平均値算出処理を実施して評価情報の平均座標値として算出する平均座標値算出手段と、著作物の売上予測金額を著作物の調達希望金額で除算して回収予測率を算出する回収予測率算出手段と、算出した評価情報の平均座標値と回収予測率とから著作物の投資に対する収益の分配率を算出する分配率算出手段とを備えたことを特徴としている。
【００１８】
また上記課題を解決するために、本発明に係る分配率算出装置の著作物情報取得手段は、著作物の販売価格、著作物の開発予算及び公募口数を取得して著作物の販売価格に開発予算を乗算し、公募口数、著作物の開発に必要な調達希望金額、及び、著作物の投資に対する収益の分配率で除算して著作物の投資に対する配当金額を算出する配当金額算出手段と、配当金額を投資家側の端末に送信する送信手段とを備えたことを特徴としている。
【００１９】
また上記課題を解決するために、本発明に係る分配率算出装置は、それぞれの評価情報の平均座標値に対応した格付値を記録する格付値記録手段から評価情報の平均座標値に対応した格付値を取得する格付値取得手段を備え、分配率算出手段は格付値と回収予測率とから著作物の投資に対する収益の分配率を算出することを特徴としている。
【００２０】
また上記課題を解決するために、本発明に係る分配率算出装置は、著作物の大衆性と娯楽性、大衆性と郷愁性、先進性と娯楽性、先進性と郷愁性等の複数の著作物の評価情報を包含するエリアを設けるとともに、各評価情報毎にセルを設け、取得した評価情報に基づいて各セル毎に得票順位を設定する順位設定手段を備え、平均座標算出手段は、順位設定手段が設定した最大得票セルが存在するエリアに含まれる複数の評価情報について多次元の平均値算出処理を実施して、評価情報の平均座標値として算出することを特徴としている。
【００２１】
また上記課題を解決するために、本発明に係る分配率算出装置は、順位設定手段が設定した順位のうち、最大の得票数を得た最大得票セルと、著作物の大衆性、先進性、郷愁性、娯楽性等の評価情報が対局に位置する対局セルの得票順位に応じて、最大得票セルの得票数を減算する演算処理を行なう得票数減算手段を備え、順位設定手段は、得票数減算手段が演算した結果に基づいて再度各セル毎の得票の順位を設定し、平均座標算出手段は、順位設定手段が再度設定した最大得票セルが存在するエリアに含まれる複数の評価情報について多次元の平均値算出処理を実施して評価情報の平均座標値として算出することを特徴としている。
【００２２】
また上記課題を解決するために、本発明に係る分配率算出装置の分配率算出手段は、著作物の販売予定時期と売上げ予測時期に関する情報を取得して、著作物の売上予測時期が著作物の販売予定時期よりも後の時期である程、分配率について投資家側に有利なインセンティブを加える演算処理を行なうことを特徴としている。
【発明の効果】
【００２３】
本発明によれば、開発した著作物の内容を提示して当該著作物の大衆性、先進性、郷愁性、娯楽性等の著作物の評価情報を複数取得する著作物評価情報取得手段と、著作物の売上予測金額、著作物の開発に関する調達希望金額等の著作物の開発に関する情報を取得する著作物情報取得手段と、取得した複数の著作物の評価情報について多次元の平均値算出処理を実施して評価情報の平均座標値として算出する平均座標値算出手段と、著作物の売上予測金額を著作物の調達希望金額で除算して回収予測率を算出する回収予測率算出手段と、算出した評価情報の平均座標値と回収予測率とから著作物の投資に対する収益の分配率を算出する分配率算出手段とを備えたので、高い配当を期待する投資家と、開発資金の迅速な調達によって高い事業収益を期待する開発者が、相互に著作物の価値を評価しあう普遍性の高いバロメータとなり得る著作権の分配率を算出することが可能となる。
【００２４】
また上記課題を解決するために、本発明に係る分配率算出装置の著作物情報取得手段は、著作物の販売価格、著作物の開発予算及び公募口数を取得して著作物の販売価格に開発予算を乗算し、公募口数、著作物の開発に必要な調達希望金額、及び、著作物の投資に対する収益の分配率で除算して著作物の投資に対する配当金額を算出する配当金額算出手段と、配当金額を投資家側の端末に送信する送信手段とを備えたので、一般の投資家に対して、普遍性の高いバロメータとなる著作物の投資に対する配当金額を試算して提示することが可能となる。
【００２５】
著作物への投資に対する配当金額の試算値を一般の投資家に提示することによって、従来は開発者が１００％占有していた著作権を一般の投資家に分配することが可能となる。この試算した配当金額が低い値である場合には、投資家は高配当を期待できないものの、著作物の事前評価の高さによって投資リスクを回避できるために、投資家の出資意欲を喚起することが可能となる。
【００２６】
また、開発者は開発時及び二次的著作物の開発時等において、その著作権の一部を証券化することが可能となるので、市場から多くの開発資金を調達できる可能性が高くなるとともに、他方の投資家はその著作物の販売によってもたらされるであろう配当金額の予測額に基づいて投資を行なうことが可能となる。
【００２７】
また本発明によれば投資家は、自分が投資した著作権の履歴やその著作物の市場状況を回答した上で、著作物の配当金額を確認することが可能となる。また著作物の開発者は、自己が開発した著作物に対する市場からの反応を容易に確認して、次に開発する著作物の参考にすることが可能となる。
【００２８】
また本発明によれば、高い配当を期待する一般の投資家と、開発資金の迅速な調達によって高い事業収益を期待する開発者とが、相互に著作物の価値を評価しあうことが可能であるとともに普遍性が高く透明性が確保された配当金額を投資家に提示することが可能となる。
【００２９】
また上記課題を解決するために、本発明に係る分配率算出装置は、それぞれの評価情報の平均座標値に対応した格付値を記録する格付値記録手段から評価情報の平均座標値に対応した格付値を取得する格付値取得手段を備え、分配率算出手段は格付値と回収予測率とから著作物の投資に対する収益の分配率を算出するようにしたので、市場の要求や過去の販売実績等に基づいて分配率の補正を細かく行なうことが可能となる。
【００３０】
また上記課題を解決するために、本発明に係る分配率算出装置は、著作物の大衆性と娯楽性、大衆性と郷愁性、先進性と娯楽性、先進性と郷愁性等の複数の著作物の評価情報を包含するエリアを設けるとともに、各評価情報毎にセルを設け、取得した評価情報に基づいて各セル毎に得票順位を設定する順位設定手段を備え、平均座標算出手段は、順位設定手段が設定した最大得票セルが存在するエリアに含まれる複数の評価情報について多次元の平均値算出処理を実施して、評価情報の平均座標値として算出するようにしたので、得票率の高いエリアを特定するとともに得票率の低いエリアの得票を排除して、より信頼性の高い分配率を算出することが可能となる。
【００３１】
また上記課題を解決するために、本発明に係る分配率算出装置は、順位設定手段が設定した順位のうち、最大の得票数を得た最大得票セルと、著作物の大衆性、先進性、郷愁性、娯楽性等の評価情報が対局に位置する対局セルの得票順位に応じて、最大得票セルの得票数を減算する演算処理を行なう得票数減算手段を備え、順位設定手段は、得票数減算手段が演算した結果に基づいて再度各セル毎の得票の順位を設定し、平均座標算出手段は、順位設定手段が再度設定した最大得票セルが存在するエリアに含まれる複数の評価情報について多次元の平均値算出処理を実施して評価情報の平均座標値として算出するようにしたので、相反するアンケート結果が得られた場合における分配率の信頼性を向上させることが可能となる。
【００３２】
また上記課題を解決するために、本発明に係る分配率算出装置の分配率算出手段は、著作物の販売予定時期と売上げ予測時期に関する情報を取得して、著作物の売上予測時期が著作物の販売予定時期よりも後の時期である程、分配率について投資家側に有利なインセンティブを加える演算処理を行なうようにしたので、著作物の開発者が提示した売上予測時期に基づく不透明さを分配率の算出結果に反映させることが可能となる。
【００３３】
また本発明によれば、普遍性の高い配当金額を投資家に提示することによって投資家の出資意欲を喚起し、著作権市場を活性化することが可能となる。
【００３４】
また逆に著作物の事前評価が低くても、開発者が分配率を高めに設定することにより、ハイリスク・ハイリターン型の著作権として投資家と開発者の需給バランスを成立させることも可能となる。本発明に係る分配率を会員の投資家や一般の投資家に提示することによって、試算した配当金に関する透明性を確保することが可能となる。
【００３５】
また本発明によれば、著作物の開発者が入力した著作物の開発費用と公募価格とから公募口数を算出することも可能となる。
【発明を実施するための最良の形態】
【００３６】
本発明に係る分配率算出装置並びに分配率算出プログラムでは、開発者と投資家によるコンソーシアムをインターネット上に形成することにより、開発者と投資家をそれぞれの完成で結ぶ著作権に関する証券市場を創造する事業である。著作物に基づいた著作権市場を活性化するためには、高い配当を期待する投資家と、開発資金の迅速な調達によって高い事業収益を期待する開発者が、相互に著作物の価値を評価しあう普遍性の高いバロメータを設定する必要がある。このバロメータの一つが「著作権の分配率」である。
【００３７】
「著作権の分配率」とは、従来は開発者が１００％占有していた著作権を、投資家に分配する比率を言う。この分配率が低ければ、投資家は高配当を期待できないものの、著作物の事前評価の高さによって投資リスクを回避できるために、投資家の出資意欲を喚起することが可能となる。
【００３８】
逆に著作物の事前評価が低くても、開発者が分配率を高めに設定することにより、ハイリスク・ハイリターン型の著作権として投資家と開発者の需給バランスを成立させることができる。「透明性の確保」がこのバロメータにとって最も大切な要素であるが、それと同時に開発者が著作権の一部を市場に売り出す際のポートフォリオプランの作りやすさも考慮する必要がある。
【００３９】
図１は、本発明に係る分配率算出システムの全体構成を示す図である。
同図に示すように、本発明に係る分配率算出システムは、インターネット等の通信網１０を介してサイトサーバ９０等と情報の送受信を行うことが可能な著作物開発者側端末７０と、通信網１０を介してサイトサーバ等と情報の送受信を行うことが可能な投資家、又は一般利用者側の会員側端末８０と、通信網１０を介して著作物開発者側端末７０や会員側端末８０、データベース２０等と情報の送受信を行うことが可能なサイトサーバ９０と、著作物開発者が開発した商品のタイトル、カテゴリ、開発予算、売上予測金額、公募口数、資金調達率、売価、公募価格、メニュー用データ、アンケート情報、アンケートに基づく得票データ、格付値その他の各種情報を記録するデータベース２０とが設けられている。
【００４０】
通信網１０は、インターネット等の通信網であって、データベース２０、著作物開発者側端末７０、会員側端末８０、又はサイトサーバ９０どうしが情報の送受信を行うことが可能となっている。
【００４１】
著作物開発者側端末７０は、通信網１０を介してサイトサーバ９０と情報の送受信を行うことが可能で、パソコンや携帯電話等の著作物の開発者が操作する端末である。
【００４２】
開発者側端末７０は、サイトサーバ９０から正規会員認証画面の表示情報を受信して表示し、著作物の開発者が会員番号ＩＤ及びパスワードを開発者側端末７０に入力するとその入力した会員番号ＩＤとパスワードとを通信網１０を介してサイトサーバ９０に送信する。サイトサーバ９０では、予め記録されているＩＤやパスワードと照合処理を行なって、認証された場合にのみ開発者側端末７０からの要求を受け入れるように設定されている。
【００４３】
著作物開発者は、自己が開発した音楽、美術、学術、文芸、実演、についてのタイトル、カテゴリ、開発予算、開発予算の明細、資金調達率、著作物や実演による売上予測金額、著作物や実演の売価、公募価格、公募口数等の著作物の開発に関する情報を著作物開発者側端末７０に入力して、通信網１０を介してサイトサーバ９０に送信することが可能となっている。
【００４４】
会員側端末８０は、著作物の投資に関するコンソーシアムの正規会員、又は一般の利用者を含むアンケート回答者が操作するパソコンや携帯電話等の端末である。
【００４５】
会員側端末８０は、サイトサーバ９０から正規会員認証画面の表示情報を受信して表示し、会員番号ＩＤ及びパスワードを入力すると、その入力した会員番号ＩＤとパスワードとを通信網１０を介してサイトサーバ９０に送信することが可能となっている。
【００４６】
また会員側端末８０は、過去に著作物開発者が公開した著作物の構想に対する反応に関する情報をサイトサーバ９０に対して要求し、他の会員からの投稿数や具体的な投稿内容などの反応情報をサイトサーバ９０から受信して表示することが可能となっている。
【００４７】
アンケート回答者は、会員側端末８０を操作してサイトサーバ９０から開発した著作物に関する情報を受信して、会員側端末８０の表示手段に表示されている特定の開発者が開発した音楽、美術、学術、文芸、実演、についてのタイトル、カテゴリ、開発予算、開発予算の明細、資金調達率、著作物や実演による売上予測金額、著作物や実演の売価、公募価格、公募口数等の情報を見て、マトリックスを指定するアンケートに回答する。アンケート回答者が回答したマトリックスのアンケート情報は、会員側端末８０が通信網１０を介してサイトサーバ９０に送信する。
【００４８】
会員が会員側端末８０に対して投資に関する問い合わせを入力すると、会員側端末８０は通信網１０を介してその旨の情報をサイトサーバ９０に送信する。サイトサーバ９０は、会員側端末８０から投資に関する問い合わせを受信すると、サイトサーバ９０にて算出した配当金額を表示するためのデータを、問い合わせのあった会員側端末８０に送信する。会員側端末８０が配当金額表示データをサイトサーバ９０から受信すると、受信したその配当金額の表示を行なって、投資家の会員に通知する。
【００４９】
会員は、その配当金額の表示を見ながら、対象となっている著作物に投資を行なうか否かや、投資の金額を入力することが可能となる。
【００５０】
サイトサーバ９０は、アンケート回答者が回答したマトリックスのアンケート情報を会員側端末８０から受信して、他のアンケート回答者か回答した複数のアンケート結果とともに集計して、当該著作物や実演に投資した場合の配当金額を算出する処理を行う。
【００５１】
そして、会員側端末８０から投資に関する問い合わせがあった際に、その算出した配当金額を会員側端末８０の表示手段に表示するためのデータを送信することが可能となっている。
【００５２】
図２は、サイトサーバ９０の信号処理系ブロック図である。
同図に示すように、サイトサーバ９０の情報送受信部には、通信ネットワーク等の通信網１０を介して他の通信機器（著作物開発者側端末７０、会員側端末８０、外部のデータベース２０等）と情報の送受信を行うための送受信手段９６５（著作物情報取得手段、送信手段の機能を含む）が設けられている。
【００５３】
また、サイトサーバ９０には、画像や文字等の情報を表示する表示手段９７２と、情報処理手段９８０の指令に基づいて表示手段９７２に対して表示用の画像信号を出力する表示インターフェース９７３と、利用者が入力手段９７０を介して入力した各種情報を読み取って後述する情報処理手段９８０に伝達したり、情報処理手段９８０からの指示に基づいてＬＥＤ等の通知手段に表示指令を出力する入力インターフェース９７１とが設けられている。
【００５４】
また、サイトサーバ９０には、記録媒体９７７を着脱可能に装着する記録媒体装着部９７８と、記録媒体９７７に対して各種の情報を記録したり読み出したりする記録媒体インターフェース９７９とが設けられている。なお、記録媒体９７７は、メモリーカード等の半導体や、ＭＯ、ＣＤ等に代表される磁気記録式、光記録式等の着脱可能な記録媒体である。
【００５５】
また、サイトサーバ９０には、サイトサーバ９０の全体の制御を行う情報処理手段（ＣＰＵ）９８０（著作物評価情報取得手段、平均座標算出手段、回収予測率算出手段、分配率算出手段、配当金額算出手段、格付値取得手段、順位設定手段、得票数減算手段、著作物情報取得手段の機能を含むものであってもよい）と、情報処理手段９８０が処理を実行する際の作業領域となる記録手段の一形態であるメモリ９８１と、情報処理手段９８０が実行する処理プログラムや各種定数、ネットワーク上の通信機器と通信接続する際のアドレス、ダイヤルアップ電話番号、属性情報、ＵＲＬ（Uniform Resource Locators）、利用者固有の識別情報、ゲートウェイ情報ＤＮＳ（Domain Name System）等の各種情報を記録するハードディスク等の記録手段９８４と、記録手段９８４に対して各種の情報を記録したり読み出したりする記録手段インターフェース９８５と、時刻を刻むカレンダ時計９９０とが設けられている。
【００５６】
サイトサーバ９０内の情報処理手段９８０と、表示インターフェース９７３、入力インターフェース９７１、メモリ９８１、記録媒体インターフェース９７９、記録手段インターフェース９８５、カレンダ時計９９０等を含む各周辺回路はバス９９９で接続されており、情報処理手段９８０にて実行される処理プログラムに基づいて、情報処理手段９８０が各々の周辺回路を制御することが可能となっている。
【００５７】
なお、上記のサイトサーバ９０は、専用の処理能力を備えた装置であってもよいし、パソコンやサーバ等の汎用的な処理装置を用いるようにしてもよい。また、データベース２０の機能を、サイトサーバ９０内部に設けた記録手段９８４が実施するようにしてもよい。上記のように情報処理手段９８０が著作物評価情報取得手段、平均座標算出手段、回収予測率算出手段、分配率算出手段、配当金額算出手段、格付値取得手段、順位設定手段、得票数減算手段、著作物情報取得手段の機能を実現する代わりに、それぞれの機能を有する回路又はユニットを独立して設けるようにしてもよい。
【００５８】
図３は、配当金額表示処理のフローチャートである。
ステップＳ１００（以降Ｓ１００のように省略して記載する。）以前にて著作物開発者は、正規会員認証用の表示ファイルの送信要求情報を著作物開発者側端末７０に入力して、その旨の情報を通信網１０を介してサイトサーバ９０に対して送信する。
【００５９】
Ｓ２００以前にてサイトサーバ９０の情報処理手段９８０は、送受信手段９６５及び通信網１０を介して著作物開発者側端末７０に対して会員認証画面の表示情報を送信する。著作物開発者側端末７０は、サイトサーバ９０から正規会員認証画面の表示情報を受信して表示し、会員番号ＩＤ及びパスワードを入力すると、その入力した会員番号ＩＤとパスワードとを通信網１０を介してサイトサーバ９０に送信する。
【００６０】
会員番号ＩＤ及びパスワードを著作物開発者側端末７０から受信すると、サイトサーバ９０の情報処理手段９８０は記録手段９８４等に記録されている会員情報と照合して、会員の認証処理を行なう。情報処理手段９８０によって会員番号ＩＤとパスワードとを入力した著作物開発者が会員であると認証された場合には、送受信手段９６５及び通信網１０を介して著作物開発者側端末７０対して開発した著作物のカテゴリを入力する画面を送信し、著作物開発者が選択したカテゴリ情報を受信する。
【００６１】
サイトサーバ９０の情報処理手段９８０は、その受信したカテゴリ情報に基づいて著作物開発者が開発した商品のタイトル、カテゴリ、著作物の内容説明、著作物のサンプル、著作物の構想、開発予算、売上予測金額、資金調達率、売価、公募価格、公募口数を入力する画面を表示する表示ファイルを著作物開発者側端末７０に送信する。
【００６２】
Ｓ１００「著作物情報入力」では、著作物開発者が著作物開発者側端末７０の入力手段を操作して、開発者自身が開発した音楽、美術、学術、文芸、実演、についてのタイトル、カテゴリ、開発予算、開発予算の明細、資金調達率、著作物や実演による売上予測金額、著作物や実演の売価、公募価格、公募口数等の開発した著作物に関する情報を入力する。著作物開発者側端末７０は、開発した著作物に関する情報を通信網１０を介してサイトサーバ９０に送信する。
【００６３】
著作物開発者から入力する著作物に関する情報として、著作物開発者が開発した商品のタイトル、カテゴリ、著作物の内容説明、著作物のサンプル、著作物の構想、開発予算、売上予測金額、調達希望金額、売価、公募価格、公募口数等の情報が挙げられる。
【００６４】
なお、ここでいう開発予算とは、著作物開発者が著作物の開発に必要な費用のことであって、著作物開発者側端末７０が開発に必要な概算金額を著作物開発者から入力し、その入力した開発予算情報を通信網１０を介してサイトサーバ９０に送信する。更に必要に応じて開発予算の明細等を著作物開発者から入力して、開発予算に添付して送信することが可能である。
【００６５】
著作物開発者が開発詳細を添付した場合には、後段の処理で開発者に有利なポイントを加算する等の演算を行なうことが可能である。
調達希望金額とは、開発予算から著作物の開発者自身が調達した金額を差し引いた金額を示す。
【００６６】
小売価格とは、開発した著作物が販売される場合に設定される小売価格のことをいう。小売価格としてオープンプライスを設定している場合には、参考価格を提示する。
【００６７】
売上げ予測とは、開発した著作物の販売開始後から６カ月間の売上予測数量のことをいう。実際の販売達成数量がこの予測数量よりも著しく下回る場合には、開発者の格付けが下がり、次回以降の資金調達時にポイントが一定量減額されるように、後段で処理することも可能である。売上げ予測の標準値は、例えば前述のように販売開始後６カ月とする。オプションとして初回ロットを設定可能なようにしてもよいし、販売開始後１２カ月の期間を選択可能としてもよい。但し、ロードショー映画等の著作物の場合のように、売上げが封切り後一定時期しか期待できないコンテンツは、初回ロット以外には選択できないようにしてもよい。
【００６８】
開発者が初回ロットの売上げ予測を指定した場合には、インセンティブとして分配率を投資家に対して５％優遇するように設定してもよい。
開発者が１２カ月後の売上げ予測を指定した場合には、逆にマイナスのインセンティブとして投資家に対して−５％冷遇するようにしてもよい。
【００６９】
公募価格とは投資家が投資する一口あたりの金額である。例えば公募価格として、１０，０００円、５０，０００円、１００，０００円、２００，０００円、５００，０００円、及び１，０００，０００円の中から開発者が選択して指定するようにしてもよい。
【００７０】
著作物開発者側端末７０が、著作物開発者から著作物開発者が開発した商品のタイトル、カテゴリ、著作物の内容説明、著作物のサンプル、著作物の構想、開発予算、売上予測金額、資金調達率、売価、公募価格、公募口数等の著作物の開発に関する情報を入力すると、当該入力した著作物に関する著作物情報を通信網１０を介してサイトサーバ９０に送信する。
【００７１】
著作物情報の送信が終了すると、開発者側端末７０が実施する処理は、Ｓ１０２「終了」に進み、開発した著作物に関する著作物情報の送信処理を終了する。
【００７２】
サイトサーバ９０の送受信手段９６５（著作物情報取得手段）が、開発者側端末７０から開発した商品のタイトル、カテゴリ、著作物の内容説明、著作物のサンプル、著作物の構想、著作物の販売価格、売上予測金額、開発予算、調達希望金額、資金調達率、売価、公募価格、公募口数等の著作物の開発に関する著作物情報を受信すると、サイトサーバ９０が実施する処理はＳ２００「著作物情報記録」の処理に進み、データベース２０の所定の領域に記録する指示を、送受信手段９６５及び通信網１０を介してデータベース２０に出力する。
【００７３】
なおここでサイトサーバ９０の情報処理手段９８０は、著作物開発者側端末７０から受信した売上げ予測と調達希望金額とから回収予測率を算出して、併せてデータベース２０に記録するようにしてもよい。回収予測率は、例えば以下の式１で算出する。
回収予測率＝売上げ予測（円）／調達希望金額（円）…（式１）
【００７４】
Ｓ３００「記録」にてデータベース２０は、サイトサーバ９０から、著作物開発者が開発した商品のタイトル、カテゴリ、著作物の内容説明、著作物のサンプル、著作物の構想、開発予算、売上予測金額、資金調達率、売価、公募価格、公募口数等の著作物情報を受信して、データベース２０の所定の領域に記録する。
【００７５】
サイトサーバ９０の情報処理手段９８０は、Ｓ２０２「会員用表示ファイル作成 アンケート表示ファイル作成」にて、開発した商品のタイトル、カテゴリ、著作物の内容説明、著作物のサンプル、著作物の構想等の情報を記載した会員用表示ファイルを作成して、データベース２０に記録する指示を出力する。
【００７６】
更に、著作物開発者が開発した著作物に応じて、会員又は一般の利用者から大衆性、先進性、郷愁性、娯楽性等を評価してもらうためのマトリックス型のアンケート表示ファイルを作成して、送受信手段９６５及び通信網１０を介してデータベース２０に記録する指示を出力する。
【００７７】
Ｓ３０２「記録」にてデータベース２０は、サイトサーバ９０から受信した会員用表示ファイルとアンケート表示ファイルとをデータベース２０の所定の領域に記録する処理を行なう。
【００７８】
Ｓ１１０「メニュー要求」にて会員側端末８０は、会員又は一般の利用者から、サイトサーバ９０に登録されている著作物の一覧が記載されているメニューを要求する指示を会員側端末８０の入力手段を介して入力する。すると会員側端末８０は、著作物の一覧が記載されているメニュー要求の情報をサイトサーバ９０に送信する。
【００７９】
サイトサーバ９０が会員側端末８０からメニュー要求の情報を受信すると、サイトサーバ９０の情報処理手段９８０が実施する処理はＳ２０４「メニュー表示ファイル作成、送信」に進み、データベース２０に記録されているメニュー用データを読み出す指示を出力する。
【００８０】
Ｓ３０４「メニュー用データ読出」にてデータベース２０は、サイトサーバ９０からのメニュー要求に基づいて、データベース２０に記録されているメニュー用データを読み出してサイトサーバ９０に出力する処理を行う。
【００８１】
Ｓ２０４にて情報処理手段９８０が、送受信手段９６５を介してデータベース２０からメニュー用データを取得すると、情報処理手段９８０はメニュー表示ファイルを作成し、送受信手段９６５及び通信網１０を介して会員側端末８０に送信する処理を行う。
【００８２】
Ｓ１１２「詳細要求」にて会員側端末８０は、サイトサーバ９０から受信したメニュー表示ファイルに基づいてメニュー表示を行い、会員又は一般の利用者から次に閲覧する著作物のカテゴリ指定等の詳細要求の情報を入力する。会員又は一般の利用者から入力した詳細要求の情報は、通信網１０を介してサイトサーバ９０に送信する。
【００８３】
Ｓ２０６「詳細情報読出、送信」にてサイトサーバ９０の情報処理手段９８０が、通信網１０及び送受信手段９６５を介して会員側端末８０から詳細要求の情報を受信すると、データベース２０に記録されている詳細情報を読み出す指示を送受信手段９６５を介して出力する処理を行なう。
【００８４】
データベース２０がサイトサーバ９０から詳細情報要求の情報を受信すると、データベース２０はＳ３０６「詳細情報読出」にて、データベース２０に記録されている著作物のカテゴリ等に応じた詳細情報を読み出して、サイトサーバ９０に出力する処理を行う。
【００８５】
Ｓ２０６にて情報処理手段９８０がデータベース２０から詳細情報を取得すると、取得した詳細情報に基づいて詳細表示ファイルを作成し、送受信手段９６５及び通信網１０を介して会員側端末８０に送信する処理を行う。
【００８６】
会員側端末８０がサイトサーバ９０から詳細表示ファイルを受信すると、受信した詳細表示ファイルに基づいて著作物の属するカテゴリ等の詳細表示を行う。会員がアンケートの入力を希望している場合には、会員側端末８０は会員又は一般の利用者から、キーボード又はマウス等の入力手段を介してアンケートの書式を要求する旨の情報を入力する。会員側端末８０が会員又は一般の利用者からアンケート書式要求情報を入力すると、入力されたアンケート書式要求情報を通信網１０を介してサイトサーバ９０に送信する。
【００８７】
サイトサーバ９０が会員側端末８０からアンケート書式要求の情報を受信すると、情報処理手段９８０が実施する処理は、Ｓ２０８に進み、データベース２０に記録されているアンケート情報を読み出す指示を、送受信手段９６５及び通信網９０を介してデータベース２０に出力する。
【００８８】
サイトサーバ９０からのアンケート情報要求の旨の情報を受信すると、データベース２０が実施する処理はＳ３０８「アンケート情報読出」に進み、著作物のカテゴリ等に応じたアンケート情報をデータベース２０から読み出して、サイトサーバ９０に出力する処理を行なう。
【００８９】
情報処理手段９８０が、送受信手段９６５を介してデータベース２０からアンケート情報を取得すると、情報処理手段９８０は、縦軸を大衆性及び先進性とし、横軸を郷愁性及び娯楽性としたマトリックス型のアンケート表示ファイルを作成し、送受信手段９６５及び通信網１０を介して会員側端末８０に送信する処理を行う。
【００９０】
会員側端末８０がアンケート表示ファイルを受信すると、会員側端末８０が実施する処理はＳ１１６「フィードバックスコア情報入力」の処理に進み、サイトサーバ９０から受信したアンケート表示ファイルに基づいて、著作物の属するカテゴリにおけるマトリックス型のアンケート入力画面を表示手段に表示する処理を行なう。
【００９１】
会員又は一般の利用者は、著作物開発者が開発した音楽、美術、学術、文芸、実演、についてのタイトル、カテゴリ、開発予算、開発予算の明細、資金調達率、著作物や実演による売上予測金額、著作物や実演の売価、公募価格、公募口数等の情報を閲覧するとともに、縦軸を大衆性及び先進性とし横軸を郷愁性及び娯楽性としたマトリックス型のアンケートのうち、該当すると思われる特定のセル（このセルは、各評価情報毎に設ける。）を指定する形でアンケートに回答する。会員又は一般の利用者は、会員側端末８０の入力手段を操作して特定のセルを指定する。
【００９２】
会員側端末８０は、会員又は一般の利用者が入力したセルの指定情報をサイトサーバ９０に送信する処理を行う。
【００９３】
図４は、著作物に関する情報と、アンケートの回答例（評価の入力例）を示す図である。
会員又は一般の利用者は、同図に示す著作物のタイトルや詳細説明等の著作物に関する情報を閲覧して、アンケート画面に応じてその著作物の評価を入力する。たとえば、当該著作物の評価として会員が、娯楽性（Ｅｎｔｅｒｔａｉｎｍｅｎｔ）の評価が中程度であって、大衆性（Ｐｏｐｕｌａｒｉｔｙ）の評価が低いと判断した場合には、そのセルをマウス等の入力手段を用いて選択する。
【００９４】
図５は、会員が入力した評価に対する各セル毎の配点を示す図である。
同図に示すように、本発明では各セルにおける配点をマトリックス状に定めている。
例えば図４にて、１人の会員が選択したセルの配点はＰ１Ｅ２であって、この配点の意味は、大衆性＝１点、娯楽性＝２点である。
【００９５】
サイトサーバ９０の情報処理手段９８０（著作物評価情報取得手段）が会員側端末８０からセルの指定情報（開発した著作物の内容をアンケートの形式で提示して、当該著作物の大衆性、先進性、郷愁性、娯楽性等の著作物の評価情報として取得する情報）を入力すると、情報処理手段９８０が実施する処理はＳ２１０「セル毎に得票を積算」に進む。Ｓ２１０にてサイトサーバ９０の情報処理手段９８０は、先ずデータベース２０から当該著作物に関して今までに取得したセル毎の得票結果を読み出す処理を行う。
【００９６】
次に情報処理手段９８０は、データベース２０から読み出したセル毎の得票結果に、今回会員側端末８０から受信したセルの指定情報を積算する処理を行って、新たに算出した当該著作物の得票データを送受信手段９６５を介してデータベース２０に記録する指示を出力する。
【００９７】
次のＳ２１２「配当金額算出処理」にて情報処理手段９８０は、著作物の得票データと、著作物の開発者が指定した当該著作物の売上予測金額と資金調達とから分配率を算出し、更に著作物の開発者が指定した資金調達率及び小売り価格並びに公募口数等の情報から、当該著作物における配当金額を算出する処理を行う。なお、Ｓ２１２における処理の詳細は、後に図６を用いて説明する。
【００９８】
次のＳ２１４「配当金額表示データ送信」にて情報処理手段９８０は、Ｓ２１２にて算出した配当金額を会員側端末８０にて表示するための配当金額表示データを作成して、送受信手段９６５（送信手段）及び通信網１０を介して会員側端末８０（投資家側の端末）に送信する処理を行う。
【００９９】
会員側端末８０が前記配当金額表示データをサイトサーバ９０から受信すると、会員側端末８０が実施する処理はＳ１１８「配当金額表示」の処理に進み、サイトサーバ９０から受信した配当金額表示データに基づいて会員がアンケートに回答した著作物の配当金額を表示する処理を行う。
【０１００】
配当金額の表示処理が終了すると、会員側端末８０が実行する処理はＳ１２０「終了」に進み、会員側端末８０における配当金額表示処理を終了する。
【０１０１】
サイトサーバ９０の情報処理手段９８０では、Ｓ２１４にて配当金額表示データの送信を終了すると、情報処理手段９８０が実施する処理はＳ２１６「終了」に進み、サイトサーバ９０における配当金額算出処理を終了する。
【０１０２】
また、データベース２０では、Ｓ３１０にて新たな得票データの記録処理が終了すると、デーベース２０が実施する処理は次のＳ３１２「終了」に進み、データベース２０における配当金額算出に関する一連の処理を終了する。
【０１０３】
図６は、配当金額算出処理のフローチャートである。
サイトサーバ９０の情報処理手段９８０が実施する処理が図３のＳ２１２に進むと、図６に示すＳ４００以降の処理を実行する。
【０１０４】
Ｓ４００「最大得票セルの特定」にて情報処理手段９８０（順位設定手段）は、取得した全ての著作物の評価情報（得票データ）に基づいて、各セル毎に得票順位を設定する処理を行なう。この処理によって、最大得票を得たセルを特定することが可能となる。Ｓ４００にて最大得票を得たセルの特定処理が終了すると、情報処理手段９８０が実施する処理は、次のＳ４０２「最大得票セルが存在するエリアを選出」に進む。
【０１０５】
図７は、最大得票セルの特定処理のフローチャートである。
サイトサーバ９０の情報処理手段９８０が実施する処理が図６のＳ４００に進むと、図７に示すＳ５００以降のサブルーチンの処理を実行する。
【０１０６】
Ｓ５００「最大得票セル、第２位の得票セル〜第４位の得票セルを特定する」にて情報処理手段９８０は、各評価情報毎に設けたセルの得票数をデータベース２０から読み出して、最大得票セル、第２位の得票セル、第３位の得票セル、第４位の得票セル…を特定する処理を行う。例えば図５に示すように、アンケートの全集計結果が以下の得票である場合には、順位は以下のように決定する。
得票順位…セル名称：得票数
第１位  …Ｐ２Ｅ２：３票
第２位  …Ｐ１Ｅ２：２票
第３位  …Ｐ３Ｅ３：１票
第３位  …Ａ１Ｅ１：１票
第３位  …Ａ１Ｅ２：１票
第３位  …Ａ１Ｎ１：１票
第３位  …Ａ２Ｎ２：１票
【０１０７】
次のＳ５０２「最大得票セルと対局に位置する対局セルを特定する」にて情報処理手段９８０（得票数減算手段）は、設定した得票セルの順位のうち、最大の得票数を得た最大得票セルと、著作物の大衆性、先進性、郷愁性、娯楽性等の評価情報が対局に位置する対局セルを特定する処理を行なう。上記の順位の第１位のセルはＰ２Ｅ２のセルであり、このセルの対局のセル（原点対称の位置に存在するセル）は図５よりＡ２Ｎ２である。このＡ２Ｎ２のセルは、得票数が第３位である。
【０１０８】
Ｓ５０４「対局セルが第２位の得票セルである？」にて情報処理手段９８０（得票数減算手段）が、対局セルが第２位の得票セルであると判断した場合には、次に情報処理手段９８０が実施する処理はＳ５０６に分岐する。
【０１０９】
Ｓ５０６「最大得票セルの得票＝最大得票セルの得票−２×第２位の得票セルの得票」にて情報処理手段９８０（得票数減算手段）は、対局セルの得票順位に応じて、最大得票セルの得票を減ずる演算を行う。対局するセルの得票が第２位と多い場合には、第１位の得票数が曖昧な得票結果であると判断して第１位の得票数を第２位の得票数に応じて減ずる演算を行う。
【０１１０】
Ｓ５０８「対局セルが第３位の得票セルである？」にて情報処理手段９８０（得票数減算手段）が、対局セルが第３位の得票セルであると判断した場合には、次に情報処理手段９８０が実施する処理はＳ５１０に分岐する。
【０１１１】
Ｓ５１０「最大得票セルの得票＝最大得票セルの得票−１×第３位の得票セルの得票」にて情報処理手段９８０（得票数減算手段）は、対局セルの得票順位に応じて、最大得票セルの得票を減ずる演算を行う。対局するセルの得票が第３位と多い場合には、第１位の得票数が曖昧な得票結果であると判断して第１位の得票数を第３位の得票数に応じて減ずる演算を行う。
【０１１２】
上記の得票例では、得票順位第１位のセル（Ｐ２Ｅ２）と対局するセル（Ａ２Ｎ２）の得票順位は第３位であるので、情報処理手段９８０が実施する処理はＳ５１０に分岐して、第１位の得票数３票から第３位の得票数１票を減ずる演算を行う。このＳ５１０における演算の結果、Ｐ２Ｅ２の得票数は２票と算出され、処理はＳ５１６に進む。
【０１１３】
Ｓ５１２「対局セルが第４位の得票セルである？」にて情報処理手段９８０（得票数減算手段）が、対局セルが第４位の得票セルであると判断した場合には、次に情報処理手段９８０が実施する処理はＳ５１４に分岐する。
【０１１４】
Ｓ５１４「最大得票セルの得票＝最大得票セルの得票−０．５×第４位の得票セルの得票」にて情報処理手段９８０（得票数減算手段）は、対局セルの得票順位に応じて、最大得票セルの得票を減ずる演算を行う。対局するセルの得票が第４位である場合には、第１位の得票数が少し曖昧な得票結果であると判断して第１位の得票数を第４位の得票数に応じて減ずる演算を行う。
【０１１５】
Ｓ５１６「最大得票セルを再度特定する」にて情報処理手段９８０（順位設定手段）は、Ｓ５０６、Ｓ５１０、Ｓ５１４に於ける各処理の結果、得票数が第１位であったセルの得票数が下がり、得票数の順位が変更になる場合があるので、再度最大得票セルを特定する処理を行い、その得票結果をデータベース２０に記録する処理を行なう。
【０１１６】
上記の例の場合得票順位は、以下のように再編成される。
第１位…Ｐ２Ｅ２：２票
第１位…Ｐ１Ｅ２：２票
【０１１７】
Ｓ５１８「終了」にて情報処理手段９８０が実行する処理は、最大得票セルの特定処理を終了して元の図６に示す処理ルーチンに戻る。
【０１１８】
図６に示すＳ４０２「最大得票セルが存在するエリアを選出」にて情報処理手段９８０は、データベース２０に対して当該著作物の各セル毎の得票を要求する情報を出力する。
【０１１９】
データベース２０がサイトサーバ９０から各セル毎の得票要求を取得すると、データベース２０が実行する処理はＳ３３０「各セル毎の得票を読出」に進み，取得した要求に基づいて該当する著作物の各セル毎の得票を読み出して、サイトサーバ９０に出力する。
【０１２０】
Ｓ４０２にてサイトサーバ９０の情報処理手段９８０がデータベース２０から各セル毎の得票を取得すると、Ｓ４００で特定した最大得票セルが存在するエリアを選出する処理を行う。
【０１２１】
ここでいうエリアとは、アンケートとして、縦軸を大衆性及び先進性とするとともに横軸を郷愁性及び娯楽性としたマトリックス型のアンケートを実施した場合には、大衆性及び郷愁性、大衆性及び娯楽性、先進性及び郷愁性、先進性及び娯楽性の４つの象限を評価情報毎のエリアと定義する。このエリアには、複数の評価情報が包含されている。
【０１２２】
上記の例の場合には、第１位の得票セルはＰ２Ｅ２及びＰ１Ｅ２であり、いずれのセルも第１象限のエリアであるので、この娯楽性及び大衆性のエリアを「最大得票セルが存在するエリア」として選出する。そして情報処理手段９８０が実施する処理は、次のＳ４０４「最大得票セルが存在するエリアの縦軸得点と、横軸得点の平均値を算出」の処理に進む。
【０１２３】
Ｓ４０４にて情報処理手段９８０（平均座標算出手段）は、最大得票セルが存在する娯楽性及び大衆性のエリアの縦軸得点（著作物に関する評価情報）と横軸得点（著作物に関する評価情報）をデータベース２０から読み出して多次元の平均値算出処理を実施して、各軸得点の平均値として算出する。
【０１２４】
Ｓ４００における処理の結果、最大得票セルを含むエリアが変更になった場合には、再度設定した最大得票セルが存在するエリアに含まれる複数の評価情報について多次元の平均値算出処理を実施して、評価情報の平均座標値として算出する。
【０１２５】
例えば上記の例の場合であって、Ｓ４００における最大得票セルの特定後の得票数を用いた縦軸得点と横軸得点は、以下の集計結果となる。
セル名称：得票
Ｐ２Ｅ２：２票
Ｐ１Ｅ２：２票
Ｐ３Ｅ３：１票
【０１２６】
各軸得点の平均座標値を算出する場合には、以下の式２及び式３に示すように、縦軸得点と横軸得点をアンケートの全解答数で除算して縦軸得点と横軸得点の平均値を算出する。
大衆性の平均値（縦軸得点Ｐの平均値）＝（１×２票＋２×２票＋３×１票）／１０票
＝０．９  …（式２）
娯楽性の平均値（横軸得点Ｅの平均値）＝（１×０票＋２×４票＋３×１票）／１０票
＝１．１  …（式３）
【０１２７】
Ｓ４０４にて縦軸得点と横軸得点の平均値の算出処理が終了すると、情報処理手段９８０が実施する処理は次のＳ４０６「最大得票セルの存在するエリアの縦軸得点と横軸得点の平均値から座標値を算出して格付値を取得」に進む。
【０１２８】
Ｓ４０６にて情報処理手段９８０は、第１位の得票数のセルが存在するエリアの縦軸得点の平均値と横軸得点の平均値の範囲に基づいて、縦軸及び横軸の平均値の座標値として算出する処理を行う。ここでの処理は、例えば以下のようにして座標値毎に分類する。
座標値＝０．５：縦軸又は横軸の平均値が０．５未満の場合
座標値＝１．０：縦軸又は横軸の平均値が０．５以上１．０以下の場合
座標値＝１．５：縦軸又は横軸の平均値が１．０より大きく１．５以下の場合
座標値＝２．０：縦軸又は横軸の平均値が１．５より大きく２．０以下の場合
座標値＝２．５：縦軸又は横軸の平均値が２．０より大きく２．５以下の場合
座標値＝３．０：縦軸又は横軸の平均値が２．５より大きい場合
【０１２９】
上記の演算に基づいて縦軸及び横軸の平均値の座標値を算出すると情報処理手段９８０（格付値取得手段）は、その算出した座標値に該当する格付値をデータベース２０に要求する。なお、格付値を用いずに、直接平均値の座標値から後述する分配率を算出するようにしてもよい。
【０１３０】
上記のアンケート結果を取得した場合における大衆性の座標値、及び娯楽性の座標値は、
大衆性の座標値：娯楽性の座標値＝１．０：１．５
と決定される。
【０１３１】
図８は、各座標値のマトリックスを示す図表である。
同図に示すように、大衆性及び郷愁性、大衆性及び娯楽性、先進性及び郷愁性、先進性及び娯楽性の４つの象限について、それぞれの評価情報の平均座標値に対応した座標値が割り当てられている。
【０１３２】
図９は、図８の各座標値のマトリックスに対応する格付値のマトリックスを示す図表である。
同図に示すように格付値のマトリックスは、評価情報の平均座標値（同図に示す例では評価情報の平均座標値に基づいた座標値）に対応した格付値が記載されている。
【０１３３】
図８の各座標値のマトリックスに対応して図９の格付け値のマトリックスを別途設けることによって情報処理手段９８０は、娯楽性、大衆性、郷愁性、先進性その他の著作物の性質や、その時代における流行性等に応じて柔軟に格付値を設定することが可能となる。図９に示す格付値は、それぞれの座標値に略比例した格付値を設定した例を示している。
【０１３４】
この格付値は、一般にはアンケート結果に基づく娯楽性及び大衆性の得点が高い程、高い売上及び収益が予測されることに基づく格付値であり、データベース２０内には著作物の性質を表す座標値と対応して格付値がマトリックス状に記録されている。
【０１３５】
Ｓ３３２「格付値読出」にてデータベース２０は、サイトサーバ９０からの要求に基づいて、指定された縦軸及び横軸得点の座標値に対応する格付値を読み出して、サイトサーバ９０に出力する。なお上記の「大衆性の座標値：娯楽性の座標値＝１．０：１．５」である場合には、図９より格付値は「Ｃ」となる。
【０１３６】
サイトサーバ９０の情報処理手段９８０が送受信手段９６５を介して格付値を取得すると、情報処理手段９８０が実施する処理は、次のＳ４０８「回収予測率の算出」に進む。
【０１３７】
Ｓ４０８にて情報処理手段９８０（回収予測率算出手段）は、例えば著作物の売上予測金額を著作物の調達希望金額で除算して回収予測率を算出する。以下の式４に、その演算例を示す。
【０１３８】
回収予測率＝売上予測金額（円）／調達希望金額（円）  …（式４）
但し、
売上予測金額（円）：例えば著作物の開発者が入力した著作物の売上予測金額
売上予測金額（円）：著作物の小売価格（円）／売上予測数量（個）としてもよい。
調達希望金額（円）：著作物の開発者が入力した著作物の開発等に必要な調達資金(開発予算のうち自己資金を除いた金額)
【０１３９】
著作物の開発者が入力した著作物の小売り価格が２，０００（円）であって、売上予測数量（ロット当たりの売上数量）が販売開始後６ヵ月目で３，１００（個）である場合には、売上予測金額が６，２００，０００（円）と算出される。
【０１４０】
したがって、著作物の開発者が調達希望金額として４，０００，０００（円）を入力して登録した場合には、
回収予測率＝６，２００，０００／４，０００，０００＝１．５５
と、算出される。
【０１４１】
回収予測率の算出処理が終了すると、情報処理手段９８０が実施する処理は次のＳ４１０「分配率の算出」の処理に進む。
【０１４２】
Ｓ４１０にて情報処理手段９８０（分配率算出手段）は、先ず著作物の開発者が入力した「売上予測のロットの時期」に応じたインセンティブを決定する処理を行う。例えば、著作物の開発者が予測した売上予測数量のロットの時期に応じてインセンティブを決定する場合には、以下の判断を行なうものとする。
販売開始後初回ロットの売上予測数量を指定した場合：
分配率の優遇＋５％（販売数量の予測が困難なため）
販売開始後６ヵ月目の売上予測数量を指定した場合：
分配率の優遇なし（標準値）
販売開始後１２ヵ月目の売上予測数量を指定した場合：
分配率の優遇−５％（販売数量についてある程度実績が反映されているため）
【０１４３】
上記のようにして、情報処理手段９８０（分配率算出手段）は著作物の販売予定時期と売上げ予測時期に関する情報を取得し、著作物の売上予測時期が著作物の販売予定時期よりも後の時期である程、分配率について投資家側に有利なインセンティブを加える演算処理を行なうことが可能となっている。
【０１４４】
Ｓ４０６にて取得した格付値（上記の取得例では格付値＝Ｃ）と、Ｓ４０８にて算出した回収予測率（上記の算出例では、１．５５）と、以下の図１０に示す分配率算出表とに基づいて投資に対する収益の分配率を算出する。なお、格付値を用いずに、評価情報の平均座標値と回収予測率とから著作物の投資に関する収益の分配率を算出するようにしてもよい。
【０１４５】
図１０は、回収予測率と格付値とから分配率を算出する図表である。
情報処理手段９８０（分配率算出手段）は、取得した格付値と回収予測率とから著作物の投資に対する収益の分配率を算出することが可能となっている。同図では、下側に行くほど（分配率が低いほど）開発者側に有利な分配率となっている。
【０１４６】
上記の例では、格付値＝Ｃであり、回収予測率＝１．５５であるので、分配率＝７０（％）を得る。
なお、著作物の開発者が初回ロットの売上予測数量を入力した場合には、分配率を＋５％優遇するインセンティブを付加するので、分配率＝７５％と算出される。
また、著作物の開発者が販売開始から１２ヵ月後の売上予測数量を入力した場合には、分配率を−５％減ずるインセンティブを付加するので、分配率＝６５％と算出される。
【０１４７】
Ｓ４１０にて分配率の算出処理が終了すると、情報処理手段９８０が実施する処理は次のＳ４１２「配当金額の算出」に進む。
【０１４８】
Ｓ４１２にて情報処理手段９８０（配当金額算出手段）は、著作物の開発者が入力した小売価格と調達希望金額と開発予算と、Ｓ４１０にて算出した配当金の分配率と、公募口数とに基づいて配当金額を算出する処理を行なう。
投資家に対する配当金額は，例えば以下の式５の計算式に示すように、著作物の販売価格（小売価格）に開発予算を乗算し、公募口数（又は売上予測金額など）、著作物の開発に必要な調達希望金額、及び、著作物の投資に対する収益の分配率で除算して著作物の投資に対する配当金額を算出する。
【０１４９】
配当金額＝小売価格／分配率／資金調達率／公募口数  …（式５）
但し、
配当金額（円）  ：投資家に還元される配当額
小売価格（円）  ：著作物の開発者が入力した著作物の小売価格
分配率（％）    ：図１０にて算出した値
資金調達率（％）  ＝調達希望金額（円）／開発予算（円）
例：調達希望金額が４，０００，０００（円）であって、開発予算が８，０００，０００（円）の場合には、資金調達率＝５０（％）
開発予算（円）  ：著作物の開発に必要な予算であって著作物の開発者が入力する予算
調達希望金額（円）：著作物の開発者が入力した著作物の開発に必要な調達資金（開発予算のうち自己資金を除いた金額）
公募口数（口）  ＝調達希望金額（円）／公募価格（円）
公募価格（円）  ：１０，０００円、５０，０００円、１００，０００円、２００，０００円、５００，０００円及び１、０００，０００円の中から著作物の開発者が選択する、一口当たりの公募価格
【０１５０】
上記の計算例で公募口数＝調達希望金額４，０００，０００（円）／公募価格２００，０００（円）＝２０口とした場合には、投資に対する配当金額は、
配当金額＝小売価格２，０００（円）／分配率７０（％）／資金調達率５０（％）／公募口数２０口
＝２８５．７（円）
と算出される。
【０１５１】
配当金の算出処理が終了すると、情報処理手段９８０が実施する処理はＳ４１４「終了」に進み、図３に示す処理ルーチンに戻り、Ｓ２１４以降の処理を実施して、会員側端末８０の表示手段に前記算出した配当金額が表示される。
【０１５２】
なお著作物開発者側端末７０にて、過去に著作物開発者が公開した著作物の構想に対する反応などの情報をサイトサーバ９０に対して要求し、他の会員や一般の利用者からの投稿数や具体的な投稿内容などの反応情報をサイトサーバ９０から受信して表示するようにしてもよい。
【産業上の利用可能性】
【０１５３】
本発明によれば、開発者に占有的に帰属していた著作権の一部を証券化することによって、開発者及び一般の投資家又は銀行など、それぞれに新しい利益を得る機会を発生させることが可能となる。
【０１５４】
本発明によれば、著作物の市場状況をアンケートにて調査し、配当金額を分析ツールを提供することによって、著作権の一部を市場に売り出す際のポートフォリオプランを作りやすくすることが可能となる。また、著作物の開発者及び投資家に市場の反応に対応した適切なポートフォリオを提供することが可能となる。
【０１５５】
本発明によれば、開発者と投資家による投資組合をインターネット上に形成することにより、開発者と投資家とをそれぞれの感性で結ぶ、著作権に関する証券市場を創造することが可能となる。
【図面の簡単な説明】
【０１５６】
【図１】本発明に係る分配率算出システムの全体構成を示す図
【図２】サイトサーバの信号処理軽ブロック図
【図３】配当金額表示処理のフローチャート
【図４】著作物に関する情報と、アンケートの回答例（評価の入力例）を示す図
【図５】会員が入力した評価情報に対する各セル毎の配点を示す図
【図６】配当金額算出処理のフローチャート
【図７】最大得票セルの特定処理のフローチャート
【図８】各座標値のマトリックスを示す図表
【図９】図８の各座標値のマトリックスに対応する格付値のマトリックスを示す図表
【図１０】回収予測率と格付値とから分配率を算出する図表
【符号の説明】
【０１５７】
１０…通信網
２０…データベース
７０…著作物開発者側端末
８０…会員側端末
９０…サイトサーバ
９６５…送受信手段
９７０…入力手段
９７１…入力Ｉ／Ｆ
９７２…表示手段
９７３…表示Ｉ／Ｆ
９７７…記録媒体
９７８…記録媒体装着部
９７９…記録媒体Ｉ／Ｆ
９８０…情報処理手段
９８１…メモリ
９８４…記録手段（ＨＤＤ）
９８５…記録手段Ｉ／Ｆ
９９０…カレンダ時計
９９９…バス
【図１】
2005063203.tif 000003
【図２】
2005063203.tif 000004
【図３】
2005063203.tif 000005
【図４】
2005063203.tif 000006
【図５】
2005063203.tif 000007
【図６】
2005063203.tif 000008
【図７】
2005063203.tif 000009
【図８】
2005063203.tif 000010
【図９】
2005063203.tif 000011
【図１０】
2005063203.tif 000012